(57)【要約】  本発明は、ネットワーク共有型データの報告方法、装置及びシステムを開示し、ＬＴＥシステムにおけるネットワーク共有型ＫＰＩの報告を実現するメカニズムに関するものであり、前記方法は、前記物理セルのサービスサブシステムにおける第１の種類のカウンターは、論理セルのデータを収集し、第２の種類のカウンターは、論理セル及び物理セルのデータを収集するステップと、前記サービスサブシステムは、第１の種類のカウンターで収集したデータを第１構成方式で運用管理・保守ＯＡＭに報告し、第２の種類のカウンターで収集したデータを第２構成方式でＯＡＭに報告するステップと、を含む。本発明は、ネットワーク共有型ＫＰＩの報告方法を提供することにより、ＫＰＩを事業者別に報告するデータ収集システムの簡略化、及びデータ収集システムの効率の向上を図ることができる。
2018504006.tif 000002
【特許請求の範囲】
【請求項１】
複数の論理セルが同一の物理セルを共有するネットワークシステムに用いられるネットワーク共有型データの報告方法であって、
前記物理セルのサービスサブシステムにおける第１の種類のカウンターは、個々の事業者が基地局サービスを提供するセルである論理セルのデータを収集し、第２の種類のカウンターは、論理セル及び物理セルのデータを収集するステップと、
前記サービスサブシステムは、第１の種類のカウンターで収集したデータを第１構成方式で運用管理・保守ＯＡＭに報告し、第２の種類のカウンターで収集したデータを第２構成方式でＯＡＭに報告するステップと、
を含むネットワーク共有型データの報告方法。
【請求項２】
前記データは、重要業績評価指標ＫＰＩデータを含む
請求項１に記載の方法。
【請求項３】
前記第１の種類のカウンターは、イベントデータカウンターのうち集約処理をサポートするカウンターを含み、前記第２の種類のカウンターは、イベントデータカウンターのうち集約処理をサポートしないカウンターを含む
請求項１に記載の方法。
【請求項４】
前記第１の種類のカウンターは、累積加算を行うカウンター及び／又は加算平均を行うカウンターを含み、前記第２の種類のカウンターは、最大値を求めるカウンター及び／又は最小値を求めるカウンターを含む
請求項１に記載の方法。
【請求項５】
前記第１構成方式は共有イベント構成方式を含み、前記第２構成方式は特有イベント構成方式を含む
請求項１に記載の方法。
【請求項６】
前記ＯＡＭは、サービスサブシステムが第１構成方式及び第２構成方式で報告したデータを受信することと、
第１構成方式で報告したデータに対して、対応する論理セルの構成ユニット及び物理セルの構成ユニットの両方にてデータベースへの書き込み操作を行うことと、
第２構成方式で報告したデータに対して、対応する論理セルの構成ユニット又は物理セルの構成ユニットにてそれぞれデータベースへの書き込み操作を行うことと、
同期時刻が到来する時に、前記ＯＡＭは、データベースに書き込んだ前記データをエレメント管理システムＥＭＳに報告することと、をさらに含む
請求項１乃至５のうち何れか一項に記載の方法。
【請求項７】
前記ＥＭＳは、ＯＡＭの報告した前記データを受信し、前記データについて、論理セルを構成単位とした管理及びインターフェースでの表示を行うこと、をさらに含む
請求項６に記載の方法。
【請求項８】
ｅＮｏｄｅＢの性能モジュールにおいて、特有イベントと、報告時に論理セル識別子及び物理セル識別子が携帯されている共有イベントと、を含むインターフェースイベントタイプを予め設定すること、をさらに含む
請求項６に記載の方法。
【請求項９】
複数の論理セルが同一の物理セルを共有するネットワークシステムに用いられるネットワーク共有型データの報告装置であって、
論理セルのデータを収集する第１の種類のカウンターと、論理セル及び物理セルのデータを収集する第２の種類のカウンターとを含む収集モジュールと、
第１の種類のカウンターで収集したデータを第１構成方式でＯＡＭに報告し、第２の種類のカウンターで収集したデータを第２構成方式でＯＡＭに報告する報告モジュールと、
を備えるネットワーク共有型データの報告装置。
【請求項１０】
特有イベントと、報告時に論理セル識別子及び物理セル識別子が携帯されている共有イベントと、を含むインターフェースイベントタイプを予め設定するように構成されるｅＮｏｄｅＢと、
第１の種類のカウンターが、論理セルのデータを収集して第１構成方式でＯＡＭに報告し、第２の種類のカウンターが、論理セル及び物理セルのデータを収集して第２構成方式でＯＡＭに報告するように構成されるサービスサブシステムと、
サービスサブシステムが第１構成方式及び第２構成方式で報告したデータを受信し、第１構成方式で報告したデータに対して、対応する論理セルの構成ユニット及び物理セルの構成ユニットの両方にてデータベースへの書き込み操作を行うとともに、第２構成方式で報告したデータに対して、対応する論理セルの構成ユニット又は物理セルの構成ユニットにてそれぞれデータベースへの書き込み操作を行い、同期時刻が到来する時に、データベースに書き込んだ前記データをＥＭＳに報告するように構成されるＯＡＭと、
ＯＡＭの報告した前記データを受信し、前記データについて、論理セルを構成単位とした管理及びインターフェースでの表示を行うように構成されるＥＭＳと、
を備えるネットワーク共有型データの報告システム。
【発明の詳細な説明】
【技術分野】
【０００１】
本発明は、無線通信システムにおけるネットワーク共有型重要業績評価指標（ＫＰＩ、Key Performance Indicator）の報告メカニズムに関し、特に、ネットワーク共有型データの報告方法、装置及びシステムに関する。
【背景技術】
【０００２】
いわゆるネットワーク共有とは、複数の事業者が共有することをいい、ネットワーク共有は、長期的進化（ＬＴＥ：Long Term Evolution）段階に入ってから生じた新しい技術ではなく、３Ｇ／２Ｇネットワークにおいてすでに市場での応用が多くなされている。しかし、ＬＴＥシステムにおけるネットワーク共有はまだ初期段階にあり、ネットワーク共有によりネットワーキングコストを大幅に節約することから、ほとんどの事業者は、ＬＴＥにネットワーク共有機能がサポートされることを求めている。
【０００３】
ネットワーク共有機能をサポートするには、システム性能を指示するＫＰＩの報告も大切な要素である。３Ｇシステムにおいて、ネットワーク共有型ＫＰＩの報告機能がサポートされている。
【発明の概要】
【発明が解決しようとする課題】
【０００４】
本発明の実施例は、ネットワーク共有する場合、ＫＰＩを事業者別に報告するデータ収集システムがあまりにも複雑である問題を少なくとも解決できるネットワーク共有型データの報告方法、装置及びシステムを提供する。
【課題を解決するための手段】
【０００５】
本発明の一実施例によれば、複数の論理セルが同一の物理セルを共有するネットワークシステムに用いられるネットワーク共有型データの報告方法であって、
前記物理セルのサービスサブシステムにおける第１の種類のカウンターは、個々の事業者が基地局サービスを提供するセルである論理セルのデータを収集し、第２の種類のカウンターは、論理セル及び物理セルのデータを収集するステップと、
前記サービスサブシステムは、第１の種類のカウンターで収集したデータを第１構成方式で運用管理・保守（ＯＡＭ：Operation Administration and Maintenance）に報告し、第２の種類のカウンターで収集したデータを第２構成方式でＯＡＭに報告するステップと、を含む方法が提供される。
【０００６】
前記データは、重要業績評価指標ＫＰＩデータを含む。
【０００７】
前記第１の種類のカウンターは、イベントデータカウンターのうち集約処理をサポートするカウンターを含み、前記第２の種類のカウンターは、イベントデータカウンターのうち集約処理をサポートしないカウンターを含む。
【０００８】
前記第１の種類のカウンターは、累積加算を行うカウンター及び／又は加算平均を行うカウンターを含み、前記第２の種類のカウンターは、最大値を求めるカウンター及び／又は最小値を求めるカウンターを含む。
【０００９】
前記第１構成方式は共有イベント構成方式を含み、前記第２構成方式は特有イベント構成方式を含む。
【００１０】
上記方法は、さらに、
前記ＯＡＭは、サービスサブシステムが第１構成方式及び第２構成方式で報告したデータを受信することと、
第１構成方式で報告したデータに対して、対応する論理セルの構成ユニット及び物理セルの構成ユニットの両方にてデータベースへの書き込み操作を行うことと、
第２構成方式で報告したデータに対して、対応する論理セルの構成ユニット又は物理セルの構成ユニットにてそれぞれデータベースへの書き込み操作を行うことと、
同期時刻が到来する時に、前記ＯＡＭは、データベースに書き込んだ前記データをエレメント管理システムＥＭＳに報告することと、を含む。
【００１１】
上記方法は、さらに、
前記ＥＭＳは、ＯＡＭの報告した前記データを受信し、前記データについて、論理セルを構成単位とした管理及びインターフェースでの表示を行うこと、を含む。
【００１２】
上記方法は、さらに、
進化型Ｎｏｄｅ  Ｂ（ｅＮｏｄｅＢ：evolved Node B）の性能モジュールにおいて、特有イベントと、報告時に論理セル識別子及び物理セル識別子が携帯されている共有イベントと、を含むインターフェースイベントタイプを予め設定すること、を含む。
【００１３】
本発明の他の一実施例によれば、複数の論理セルが同一の物理セルを共有するネットワークシステムに用いられるネットワーク共有型データの報告装置であって、
論理セルのデータを収集する第１の種類のカウンターと、論理セル及び物理セルのデータを収集する第２の種類のカウンターとを含む収集モジュールと、
第１の種類のカウンターで収集したデータを第１構成方式でＯＡＭに報告し、第２の種類のカウンターで収集したデータを第２構成方式でＯＡＭに報告する報告モジュールと、を備える装置が提供される。
【００１４】
本発明の他の一実施例によれば、ネットワーク共有型データの報告システムであって、
特有イベントと、報告時に論理セル識別子及び物理セル識別子が携帯されている共有イベントと、を含むインターフェースイベントタイプを予め設定するように構成されるｅＮｏｄｅＢと、
第１の種類のカウンターが、論理セルのデータを収集して第１構成方式でＯＡＭに報告し、第２の種類のカウンターが、論理セル及び物理セルのデータを収集して第２構成方式でＯＡＭに報告するように構成されるサービスサブシステムと、
サービスサブシステムが第１構成方式及び第２構成方式で報告したデータを受信し、第１構成方式で報告したデータに対して、対応する論理セルの構成ユニット及び物理セルの構成ユニットの両方にてデータベースへの書き込み操作を行うとともに、第２構成方式で報告したデータに対して、対応する論理セルの構成ユニット又は物理セルの構成ユニットにてそれぞれデータベースへの書き込み操作を行い、同期時刻が到来する時に、データベースに書き込んだ前記データをＥＭＳに報告するように構成されるＯＡＭと、
ＯＡＭの報告した前記データを受信し、前記データについて、論理セルを構成単位とした管理及びインターフェースでの表示を行うように構成されるＥＭＳと、を備えるシステムが提供される。
【発明の効果】
【００１５】
関連技術に比べ、本発明の実施例は、ネットワーク共有型ＫＰＩの報告方法を提供することにより、ネットワーク共有する場合、ネットワーク共有の構成ユニットと既存セルの構成ユニットとの関係に従って、ＫＰＩを事業者別に報告するデータ収集システムの簡略化、及びデータ収集システムの効率の向上を図ることができる有益な効果を有する。
【図面の簡単な説明】
【００１６】
【図１】本発明の実施例に提供されるネットワーク共有型データの報告方法の原理図である。
【図２】本発明の実施例に提供されるネットワーク共有型データの報告装置の構造図である。
【図３】本発明の実施例に提供されるネットワーク共有型データの報告システムの構造図である。
【図４】ＫＰＩ構成関係に基づく物理セルと論理セルの関係図である。
【図５】サービスサブシステムによる報告のフローチャートである。
【発明を実施するための形態】
【００１７】
以下、図面を参照しつつ本発明の好適な実施例を詳しく説明するが、以下で説明する好適な実施例は、本発明を説明し解釈するためのものに過ぎず、本発明を限定することは意図していない。
【００１８】
図１は、本発明の実施例に提供されるネットワーク共有型データの報告方法の原理図であり、図１に示すように、複数の論理セルが同一の物理セルを共有するネットワークシステムに用いられるものであって、具体的なステップは以下の通りである。
【００１９】
ステップＳ１：前記物理セルのサービスサブシステムにおける第１の種類のカウンターは、個々の事業者が基地局サービスを提供するセルである論理セルのデータを収集し、第２の種類のカウンターは、論理セル及び物理セルのデータを収集する。
【００２０】
ステップＳ１において、前記データは、重要業績評価指標ＫＰＩデータを含む。
【００２１】
さらに、前記第１の種類のカウンターは、イベントデータカウンターのうち集約処理をサポートするカウンターを含み、前記第２の種類のカウンターは、イベントデータカウンターのうち集約処理をサポートしないカウンターを含む。
【００２２】
さらに、前記第１の種類のカウンターは、累積加算を行うカウンター及び／又は加算平均を行うカウンターを含み、前記第２の種類のカウンターは、最大値を求めるカウンター及び／又は最小値を求めるカウンターを含む。
【００２３】
ステップＳ２：前記サービスサブシステムは、第１の種類のカウンターで収集したデータを第１構成方式でＯＡＭに報告し、第２の種類のカウンターで収集したデータを第２構成方式でＯＡＭに報告する。
【００２４】
ステップＳ２において、前記第１構成方式は共有イベント構成方式を含み、前記第２構成方式は特有イベント構成方式を含む。
【００２５】
さらに、
前記ＯＡＭは、サービスサブシステムが第１構成方式及び第２構成方式で報告したデータを受信することと、
第１構成方式で報告したデータに対して、対応する論理セルの構成ユニット及び物理セルの構成ユニットの両方にてデータベースへの書き込み操作を行うことと、
第２構成方式で報告したデータに対して、対応する論理セルの構成ユニット又は物理セルの構成ユニットにてそれぞれデータベースへの書き込み操作を行うことと、
同期時刻が到来する時に、前記ＯＡＭは、データベースに書き込んだ前記データをエレメント管理システムＥＭＳに報告することと、を含む。
【００２６】
さらに、
前記ＥＭＳは、ＯＡＭの報告した前記データを受信し、前記データについて、論理セルを構成単位とした管理及びインターフェースでの表示を行うこと、を含む。
【００２７】
さらに、
ｅＮｏｄｅＢの性能モジュールにおいて、特有イベントと、報告時に論理セル識別子及び物理セル識別子が携帯されている共有イベントと、を含むインターフェースイベントタイプを予め設定すること、を含む。
【００２８】
図２は、本発明の実施例に提供されるネットワーク共有型データの報告装置の構造図であり、図２に示すように、サービスサブシステム側は、収集モジュールと、報告モジュールと、を備える。
【００２９】
前記収集モジュールは、前記物理セルのサービスサブシステムにおける第１の種類のカウンターが論理セルのデータを収集し、第２の種類のカウンターが論理セル及び物理セルのデータを収集するように構成される。
【００３０】
前記報告モジュールは、前記サービスサブシステムが、第１の種類のカウンターで収集したデータを第１構成方式で運用管理・保守ＯＡＭに報告し、第２の種類のカウンターで収集したデータを第２構成方式でＯＡＭに報告するように構成される。
【００３１】
図３は、本発明の実施例に提供されるネットワーク共有型データの報告システムの構造図であり、図３に示すように、ｅＮｏｄｅＢと、物理セルのサービスサブシステムと、ＯＡＭと、ＥＭＳと、を備える。
【００３２】
前記ｅＮｏｄｅＢは、特有イベントと、報告時に論理セル識別子及び物理セル識別子が携帯されている共有イベントと、を含むインターフェースイベントタイプを予め設定するように構成される。
【００３３】
前記サービスサブシステムは、第１の種類のカウンターが論理セルのデータを収集して第１構成方式でＯＡＭに報告し、第２の種類のカウンターが論理セル及び物理セルのデータを収集して第２構成方式でＯＡＭに報告するように構成される。
【００３４】
前記ＯＡＭは、サービスサブシステムが第１構成方式及び第２構成方式で報告したデータを受信し、第１構成方式で報告したデータに対して、対応する論理セルの構成ユニット及び物理セルの構成ユニットの両方にてデータベースへの書き込み操作を行うとともに、第２構成方式で報告したデータに対して、対応する論理セルの構成ユニット又は物理セルの構成ユニットにてそれぞれデータベースへの書き込み操作を行い、同期時刻が到来する時に、データベースに書き込んだ前記データをＥＭＳに報告するように構成される。
【００３５】
前記ＥＭＳは、ＯＡＭの報告した前記データを受信し、前記データについて、論理セルを構成単位とした管理及びインターフェースでの表示を行うように構成される。
【００３６】
図４は、ＫＰＩ構成関係に基づく物理セルと論理セルの関係図であり、図４に示すように、複数の事業者が同一の物理セルを共有するネットワーク環境において、共有されるＥＭＳのフォアグラウンドは、カウンターを、論理セルと呼ばれる、「セル＋事業者」単位で構成されるネットワーク共有の構成ユニットと、物理セルと呼ばれる、「セル」単位で構成される既存セルの構成ユニット（即ち、物理セル）とに分けている。物理セルは、複数の事業者（例えば、中国電信、中国移動など）を含むことができる。
【００３７】
図５は、サービスサブシステムによる報告のフローチャートであり、図５に示すように、複数の提供者がＥＭＳを共有してネットワーク共有を実現する場合に、ＫＰＩを事業者別に報告するデータ収集を行う。複数の事業者が共有するサービスサブシステムは、サービス報告イベントを、共有イベントと特有イベントという２つの構成方式に分ける。共有イベント構成方式とは、イベントが報告される統計データを、論理セルの構成ユニット及び物理セルの構成ユニットの両方に書き込むことを意味し、統計イベントデータカウンターは、論理セルの構成ユニットと物理セルの構成ユニットとで共有されることができる。特有イベント構成方式とは、イベントが報告される統計データを、一方の構成ユニットにしか書き込むことができないことを意味し、イベントにおけるカウンターは、一方の構成ユニットに専用される。
【００３８】
具体的な実現プロセスを行う前に、ＥＭＳのフォアグラウンドとしてのｅＮｏｄｅＢの性能モジュールにおいて、共有イベントと特有イベントという２種類のインターフェースイベントタイプを予め定義し、共有イベントにて論理セル識別子及び物理セル識別子の両方が携帯される必要があるが、特有イベントにて論理セル識別子又は物理セル識別子のみが携帯されている。
【００３９】
具体的な実現プロセスは、以下の通りである。
【００４０】
ステップ１：サービスサブシステムのカウンターは、カウンターの特性に基づいてデータをジャンル別に収集する。集約処理をサポートするカウンターであれば、論理セルと物理セルが１セットのデータ収集システムを共有し、また、集約処理をサポートしないカウンターであれば、論理セルと物理セルがそれぞれのデータ収集システムを使用する。前記集約処理をサポートするカウンターとは、累積加算を行うカウンター、又は加算平均を行うカウンターであり、前記集約処理をサポートしないカウンターとは、最大値を求めるカウンター、又は最小値を求めるカウンターである。
【００４１】
サービスサブシステムのカウンターが、カウンターの特性に基づいてデータをジャンル別に収集する場合、累積加算、又は加算平均を行うカウンターについて、論理セルユニットのデータのみを収集するが、物理セルのデータを収集しない。一方、最大値、又は最小値を求めるカウンターについて、論理セル及び物理セルの両方のデータを収集する。
【００４２】
ステップ２：サービスサブシステムは、サービス報告イベントを共有イベントと特有イベントとに分ける。イベント報告時刻が到来する時に、累積加算、又は加算平均を行うカウンターについて、サービスサブシステムは共有イベントの構成方式でＯＡＭの性能モジュールに報告する。一方、最大値、又は最小値を求めるカウンターについて、サービスサブシステムは、論理セル及び物理セルそれぞれの特有イベントの構成方式でＯＡＭの性能モジュールに報告する。
【００４３】
ステップ３：ＯＡＭの性能モジュールは、サービスサブシステムから報告された共有イベントと特有イベントを振り分けて処理する。ＯＡＭの性能モジュールは、サービスサブシステムからの共有イベントを受信した場合、共有イベントを受信していれば、イベントにおける統計データに対して、識別した物理セル及び論理セルにてデータベースへの書き込み操作を行い、論理セルの特有イベントを受信していれば、イベントにおける統計データに対して、識別した論理セルにてデータベースへの書き込み操作を行い、この統計データは、論理セルのみにてデータベースへの書き込み操作を行われ、また、物理セルの特有イベントを受信していれば、イベントにおける統計データに対して、識別した物理セルにてデータベースへの書き込み操作を行う。
【００４４】
ステップ４：ＥＭＳのバックグラウンドは、フォアグラウンドの報告方式で、ネットワーク共有型ＫＰＩデータの管理及びインターフェース提示を行う。即ち、ネットワーク共有のカウンターは、論理セルを構成単位とした管理及び提示を行う。
【００４５】
ＥＭＳのフォアグラウンドとバックグラウンドとの同期時刻が到来する時に、ＯＡＭの性能モジュールは、構成ユニットごとに、データをカプセル化してパケットに圧縮した後、エレメント管理システムＥＭＳのバックグラウンドに報告する。エレメント管理システムＥＭＳのバックグラウンドが、パケットの圧縮解除を行って、構成ユニットごとに、各カウンターに対してデータベースへの書き込み操作を順に行い、ネットワーク共有のカウンターで、エレメント管理システムＥＭＳのインターフェースにおいて、「セル識別子＋事業者識別子」の構成方式に従ってユーザに提示する。
【００４６】
ネットワーク共有する場合、論理セルを対象とし、エアインターフェースのトラフィックを収集することを例として、セル１のリソースを共有するＰＬＭＮ１及びＰＬＭＮ２という２つの事業者を構成する。事業者ＰＬＭＮ１のユーザＵＥ１は、１２時ぴったりに、セル１へのアクセスが成功し、下りには入力パケットのトラフィックが３０Ｍであるサービスが載せられ、５Ｍのトラフィック変動がある。事業者ＰＬＭＮ２のユーザＵＥ２は、１２時１５分に、セル１へのアクセスが成功し、下りには入力パケットのトラフィックが５０Ｍであるサービスが載せられ、５Ｍのトラフィック変動がある。具体的なステップは以下の通りである。
【００４７】
（１）サービスサブシステムＲＮＬＵの報告時刻である１２時１０秒にて、
セル１、事業者ＰＬＭＮ１のメディアアクセス制御層（ＭＡＣ：Media Access Control）の平均トラフィックがそれぞれ３０Ｍである共有イベントを報告する。
【００４８】
セル１のＭＡＣの最大トラフィックが３５Ｍで、最小トラフィックが２５Ｍである独立したイベントを報告する。
【００４９】
セル１＋事業者ＰＬＭＮ１のＭＡＣ層の最大トラフィックが３５Ｍで、最小トラフィックが２５Ｍである独立したイベントを報告する。
【００５０】
（２）ＯＡＭの性能モジュールはこれらのイベントを受信すると、
収集される論理セル１において、
ＭＡＣ層の平均トラフィックが３０Ｍで、
ＭＡＣ層の最大トラフィックが３５Ｍで、
ＭＡＣ層の最小トラフィックが２５Ｍである。
【００５１】
収集される物理セル１において、
ＭＡＣ層の平均トラフィックが３０Ｍで、
ＭＡＣ層の最大トラフィックが３５Ｍで、
ＭＡＣ層の最小トラフィックが２５Ｍである。
【００５２】
（３）ＥＭＳのフォアグラウンドとバックグラウンドとの同期時刻である１２時１５分にて、
論理セル１（セル１＋事業者ＰＬＭＮ１）で統計したＭＡＣ層の平均トラフィックが３０Ｍ、最大トラフィックが３５Ｍ、最小トラフィックが２５Ｍとなる。
【００５３】
物理セル１で統計したＭＡＣ層の平均トラフィックが３０Ｍ、最大トラフィックが３５Ｍ、最小トラフィックが２５Ｍとなる。
【００５４】
（４）サービスサブシステムＲＮＬＵの報告時刻である１２時１５分１０秒にて、
セル１、事業者ＰＬＭＮ１のＭＡＣ層の平均トラフィックがそれぞれ３０Ｍである共有イベントを報告する。
【００５５】
セル１、事業者ＰＬＭＮ２のＭＡＣ層の平均トラフィックがそれぞれ５０Ｍである共有イベントを報告する。
【００５６】
セル１＋事業者ＰＬＭＮ１のＭＡＣ層の最大トラフィックが３５Ｍで、最小トラフィックが２５Ｍである独立したイベントを報告する。
【００５７】
セル１＋事業者ＰＬＭＮ２のＭＡＣ層の最大トラフィックが５５Ｍで、最小トラフィックが４５Ｍである独立したイベントを報告する。
【００５８】
セル１のＭＡＣ層の最大トラフィックが８５Ｍで、最小トラフィックが７５Ｍである独立したイベントを報告する。
【００５９】
（５）ＯＡＭの性能モジュールはこれらのイベントを受信すると、
収集される論理セル１において、
ＭＡＣ層の平均トラフィックが３０Ｍで、
ＭＡＣ層の最大トラフィックが３５Ｍで、
ＭＡＣ層の最小トラフィックが２５Ｍである。
【００６０】
収集される論理セル２において、
ＭＡＣ層の平均トラフィックが５０Ｍで、
ＭＡＣ層の最大トラフィックが５５Ｍで、
ＭＡＣ層の最小トラフィックが４５Ｍである。
【００６１】
収集される物理セル１において、
ＭＡＣ層の平均トラフィックが８０Ｍで、
ＭＡＣ層の最大トラフィックが８５Ｍで、
ＭＡＣ層の最小トラフィックが７５Ｍである。
【００６２】
（６）ＥＭＳのフォアグラウンドとバックグラウンドとの同期時刻である１２時３０分にて、
論理セル１（セル１＋事業者ＰＬＭＮ１）で統計したＭＡＣ層の平均トラフィックが３０Ｍ、最大トラフィックが３５Ｍ、最小トラフィックが２５Ｍとなる。
【００６３】
論理セル２（セル１＋事業者ＰＬＭＮ２）で統計したＭＡＣ層の平均トラフィックが５０Ｍ、最大トラフィックが５５Ｍ、最小トラフィックが４５Ｍとなる。
【００６４】
物理セル１で統計したＭＡＣ層の平均トラフィックが８０Ｍ、最大トラフィックが８５Ｍ、最小トラフィックが７５Ｍとなる。
【００６５】
上述したように、本発明の実施例は、ネットワーク共有型ＫＰＩの報告方法を提供することにより、ネットワーク共有する場合、ネットワーク共有の構成ユニットと既存セルの構成ユニットとの関係に従って、ＫＰＩを事業者別に報告するデータ収集システムの簡略化、及びデータ収集システムの効率の向上を図ることができる技術効果を有する。
【００６６】
以上、本発明を詳しく説明したが、本発明はこれには限定されず、当業者であれば、本発明の原理に基づく様々な修正が可能である。このため、本発明の原理に基づく修正は、すべて本発明の保護範囲内に含まれるべきである。
【産業上の利用可能性】
【００６７】
上述したように、本発明の実施例に提供されるネットワーク共有型データの報告方法、装置及びシステムは、ネットワーク共有型ＫＰＩの報告方法を提供することにより、ネットワーク共有する場合、ネットワーク共有の構成ユニットと既存セルの構成ユニットとの関係に従って、ＫＰＩを事業者別に報告するデータ収集システムの簡略化を、及びデータ収集システムの効率の向上を図ることができる有益な効果を有する。
【図１】
2018504006.tif 000003
【図２】
2018504006.tif 000004
【図３】
2018504006.tif 000005
【図４】
2018504006.tif 000006
【図５】
2018504006.tif 000007
【国際調査報告】
2018504006.tif 000008
2018504006.tif 000009
2018504006.tif 000010
2018504006.tif 000011